(57)【要約】【課題】金属製の防水下地への係止力が高く、かつ、施工手間のかからないビスユニットが要望されている。【解決手段】防水下地Ｂに穿孔するビス部材２と、ビス部材２よりも短く、ビス部材２を径方向外側から包み込む筒状の鞘管部材３と、を備える。ビス部材２の先端部に、鞘管部材３から突出した状態で設けられ、防水下地Ｂに鞘管部材３の外径よりも大径の貫通孔Ａを穿孔可能な第一ネジ部２１を備える。ビス部材２における第一ネジ部２１よりもビス頭部２５側の部分に、第一ネジ部２１よりも小径の第二ネジ部２３を備える。鞘管部材３における第二ネジ部２３と対応する部分の内周部に、第二ネジ部２３と螺合する内ネジ部３１が備えられ、鞘管部材３における内ネジ部３１が形成された部分よりもビス頭部２５の側の部分に、軸芯方向における座屈を促進する座屈促進部３４が備えられている。【選択図】図４
2019207003.tif 000002
【特許請求の範囲】
【請求項１】
金属製の防水下地に用いられるビスユニットであって、
前記防水下地に穿孔するビス部材と、
前記ビス部材よりも短く構成され、前記ビス部材を径方向外側から包み込む筒状の鞘管部材と、が備えられ、
前記ビス部材におけるビス頭部とは反対側の先端部に、前記鞘管部材から突出した状態で設けられ、前記防水下地に前記鞘管部材の外径よりも大径の貫通孔を穿孔可能な第一ネジ部が備えられ、かつ、前記ビス部材における前記第一ネジ部よりも前記ビス頭部側の部分に、前記第一ネジ部よりも小径の第二ネジ部が備えられ、
前記鞘管部材における前記第二ネジ部と対応する部分の内周部に、前記第二ネジ部と螺合する内ネジ部が備えられ、
前記鞘管部材における前記内ネジ部が形成された部分よりも前記ビス頭部の側の部分に、周方向における剪断よりも軸芯方向における座屈を促進する座屈促進部が備えられているビスユニット。
【請求項２】
前記ビス部材における前記第一ネジ部と前記第二ネジ部との間に、ネジが形成されていない状態で、前記第二ネジ部よりも小径の軸部が備えられ、
前記鞘管部材における前記内ネジ部を含む端部の軸芯方向の長さは、前記軸部の軸芯方向の長さよりも短く設定され、
前記ビス部材及び前記鞘管部材の初期状態において、前記端部は、前記ビス部材のうち、前記軸部によって形成される段差に嵌り込んで、前記軸部を径方向外側から包み込んでいる請求項１に記載のビスユニット。
【請求項３】
前記鞘管部材に、前記防水下地に係止して回り止めされる係止部が備えられている請求項１または２に記載のビスユニット。
【請求項４】
前記鞘管部材は、金属素材で構成され、
前記座屈促進部は、周方向に間隔を空けた状態で軸芯方向に沿って延びるように前記鞘管部材に形成された複数のスリットである請求項１から３の何れか一項に記載のビスユニット。
【発明の詳細な説明】
【技術分野】
【０００１】
本発明は、金属製の防水下地に用いられるビスユニットに関する。
【背景技術】
【０００２】
従来から、防水シートを金属製の防水下地（折板屋根やデッキプレート等）に固定する手法として、特許文献１のように、まず、ディスク状の固定具をビスで防水下地に固定し、そして、防水下地及び固定具の上から防水シートを敷設し、防水シートの上面から誘導加熱装置を用いて固定具の上面の溶融層を溶かし、固定具の上面と防水シートの裏面とを固着する工法等が採用されている。
【先行技術文献】
【特許文献】
【０００３】
【特許文献１】特開２０１７−１２２３３０号公報
【発明の概要】
【発明が解決しようとする課題】
【０００４】
ところで、屋上等においては風が吹いているため、その風による揚力等によって防水シートがバタつく、いわゆるフラッタリングが生じ、防水シートのバタつきに追従して固定具も揺らされたり、ネジを中心として回転しようとしたりすることがある。そうすると、従来の技術では、ビスが防水下地に捻じ込まれる力によって固定具が防水下地に固定されているため、固定具の揺れや回転によって、ビスが、金属下地への捻じ込み箇所を支点としてグラついたり、回転したりする。この現象が繰り返されると、防水下地におけるネジ貫通箇所が押し広げられたり、ネジが緩んだりする。この結果、ネジ頭が固定具よりも突出して防水シートが破れたり、ネジが防水下地から抜けて固定具の固定が外れたりする可能性がある。
【０００５】
その一方で、内周側のビスを回転させることで外周側の鞘管を径方向外側に座屈させる仕組みのビスユニット（いわゆる、ボードアンカー）を用いれば、防水下地へのビスの係止力を高められる。しかし、このようなビスユニットであると、最初に防水下地の裏側にビスユニットを落とし込むための貫通穴を穿孔してから、ビスユニットを防水下地に係止させる作業を行うことになり、道具を持ち換えたりする手間がかかる。
【０００６】
上記実情に鑑み、金属製の防水下地への係止力が高く、かつ、施工手間のかからないビスユニットが要望されている。
【課題を解決するための手段】
【０００７】
本発明による金属製の防水下地に用いられるビスユニットは、
前記防水下地に穿孔するビス部材と、
前記ビス部材よりも短く構成され、前記ビス部材を径方向外側から包み込む筒状の鞘管部材と、が備えられ、
前記ビス部材におけるビス頭部とは反対側の先端部に、前記鞘管部材から突出した状態で設けられ、前記防水下地に前記鞘管部材の外径よりも大径の貫通孔を穿孔可能な第一ネジ部が備えられ、かつ、前記ビス部材における前記第一ネジ部よりも前記ビス頭部側の部分に、前記第一ネジ部よりも小径の第二ネジ部が備えられ、
前記鞘管部材における前記第二ネジ部と対応する部分の内周部に、前記第二ネジ部と螺合する内ネジ部が備えられ、
前記鞘管部材における前記内ネジ部が形成された部分よりも前記ビス頭部の側の部分に、周方向における剪断よりも軸芯方向における座屈を促進する座屈促進部が備えられていることを特徴とする。
【０００８】
本発明であれば、ビスユニットをセットしてビス部材を捻じ込み始めると、第一ネジ部によって鞘管部材の外径よりも大きな内径の貫通孔が穿孔され、続いてビスユニットの先端側部分が貫通孔に落ち込んで防水下地の裏側に抜け出す。ビス部材と供回りしないように鞘管部材を保持した状態にしてさらにビス部材を捻じ込み続けると、ビス頭部と鞘管部材とが接してビス部材と鞘管部材との軸芯方向での相対移動が阻止された状態となり、その状態でさらにビス部材を捻じ込み続けると、内ネジ部と第二ネジ部との螺合力（内ネジ部がネジ頭部側へ螺進しようする力）が軸力に変換され、鞘管部材のうち防水下地の裏側に抜け出している部分が座屈して径方向外側へ圧し潰され、貫通孔よりも大径になり、防水下地に係止する。この結果、ビス頭部と鞘管部材の圧し潰された部分とで、固定具と防水下地とを強く挟持することになり、かつ、鞘管部材が貫通孔から抜け出すことがなくなる。
【０００９】
このように、本発明であれば、ビス部材を捻じ込み続けるだけで、防水下地への穿孔から鞘管部材の防水下地への係止までの一連の作業を行うことができるとともに、フラッタリングが生じても、ビスユニットが緩んだり、防水下地から抜けてしまったりすることがなくなる。つまり、本発明であれば、金属製の防水下地への係止力が高く、かつ、施工手間のかからないビスユニットが実現できる。
【００１０】
本発明においては、
前記ビス部材における前記第一ネジ部と前記第二ネジ部との間に、ネジが形成されていない状態で、前記第二ネジ部よりも小径の軸部が備えられ、
前記鞘管部材における前記内ネジ部を含む端部の軸芯方向の長さは、前記軸部の軸芯方向の長さよりも短く設定され、
前記ビス部材及び前記鞘管部材の初期状態において、前記端部は、前記ビス部材のうち、前記軸部によって形成される段差に嵌り込んで、前記軸部を径方向外側から包み込んでいると好適である。
【００１１】
本発明の構成に鑑みると、第一ネジ部は内ネジ部よりも大径となるため、ビス部材と鞘管部材とを螺合することでビスユニットを組み上げることはできない。ビスユニットは、鞘管部材をビス部材に対して外径側から包み込むようにして組み上げる必要がある。この場合、初期状態において内ネジ部と第二ネジ部とが螺合するようにビス部材と鞘管部材とをセットするには、高精度の組み上げ技術が要求される。
【００１２】
しかし、本構成によれば、鞘管部材における内ネジ部を含む端部を、ネジがない軸部によって形成される段差に嵌め込めば良く、ネジユニットの組み上げ作業が容易になる。また、貫通孔にネジユニットの先端部が落ち込んで第二ネジ部と内ネジ部とが螺合し始めるまで、ビス部材と鞘管部材とは回転方向において相対回転自在であるため、第一ネジ部によって防水下地に穿孔する際等に、ビス部材の回転力が鞘管部材にほとんど作用しないようにすることができ、不測に鞘管部材が座屈等の変形をすることを避けることができ、誤作動の少ないビスユニットとすることができる。
【００１３】
本発明においては、
前記鞘管部材に、前記防水下地に係止して回り止めされる係止部が備えられていると好適である。
【００１４】
一般的に、ビスによって金属板に穿孔すると、貫通孔の外周部はギザギザの凹凸を持った形状となる。本構成によれば、鞘管部材の外周部に係止部が備えられているため、鞘管部材を貫通孔に落とし込むだけで係止部が貫通孔の外周部に係止し、特別な治具等を要することなく、鞘管部材を回り止めすることができ、簡素な構成で、ビスユニットの正常動作を確保することができる。即ち、本構成によれば、防水下地が金属製であることを生かして第一ネジ部による穿孔によって防水下地に被係止部を形成し、一連の流れで、簡単に鞘管部材の回り止めを実現できる。
【００１５】
本発明においては、
前記鞘管部材は、金属素材で構成され、
前記座屈促進部は、周方向に間隔を空けた状態で軸芯方向に沿って延びるように前記鞘管部材に形成された複数のスリットであると好適である。
【００１６】
本構成によれば、鞘管部材が金属素材であるため、防水下地への係止の耐久性が確保でき、かつ、鞘管部材への複数のスリットの形成という簡単な構成によって、剪断耐力よりも座屈耐力を小さくすることができ、かつ、スリットの幅や長さや本数によって、比較的簡単に座屈耐力の設定や変更が容易となり、作業環境に応じてスペックの異なるビスユニットを製造しやすい。
【図面の簡単な説明】
【００１７】
【図１】本発明のビスユニットの全体側面図である。
【図２】ビス部材の全体側面図である。
【図３】鞘管部材の全体側面図である。
【図４】ビスユニット及び固定具をセットした状態を示す屋上縦断側面図である。
【図５】ビスユニットが貫通孔に落ち込んだ状態を示す屋上縦断側面図である。
【図６】ビス部材を鞘管部材に完全に捻じ込んだ状態を示す屋上縦断側面図である。
【図７】鞘管部材が座屈して径方向外側に広がって圧し潰され、防水下地に係止した状態を示す屋上縦断側面図である。
【図８】別の固定具にビスユニットを用いた状態を示す屋上縦断側面図である。
【発明を実施するための形態】
【００１８】
以下に、本発明の一例である実施形態を図面に基づいて説明する。本発明に係るビスユニット１は、図４から図７に示すように、例えば、屋上や屋根において、塩化ビニル系等の合成樹脂製の防水シートＳを、折板屋根やデッキプレートのような金属製の防水下地Ｂに設置する際に用いられる。本実施形態においては、防水下地Ｂの上に硬質ウレタンフォームなどの断熱材Ｃを設置し、断熱材Ｃの上に防水シートＳを設置する断熱工法による防水構造を例にとって説明する。
【００１９】
〔ビスユニットについて〕
ビスユニット１は、金属製のビス部材２と、ビス部材２を径方向外側から包み込む薄肉の円筒形状（筒状の一例）の金属製の鞘管部材３と、を備えている。ビス部材２は、防水下地Ｂに穿孔するものであり、鞘管部材３は、径方向外側に向けて座屈して、防水下地Ｂに係止するものである。
【００２０】
〔ビス部材について〕
図２に示すように、ビス部材２に、捻じ込み側の先端部に形成された第一ネジ部２１と、第一ネジ部２１に対してビス頭部２５の側に隣接する軸部２２と、軸部２２に対してビス頭部２５の側に隣接する第二ネジ部２３と、が備えられている。ビス頭部２５に、インパクトドライバ等の工具を係合させることが可能なレンチ孔２６（多角形状）が形成されている。
【００２１】
第一ネジ部２１は、先端部にドリル部２４を有するドリルネジであり、第一ネジ部２１によって防水下地Ｂに、鞘管部材３の外径ＰＲ１よりも大径の貫通孔Ａを穿孔可能である。軸部２２はネジが形成されていない円柱形状部であり、ビス部材２の先端部側寄りに形成されている。第二ネジ部２３は、ビス部材２の大半の部分を占めており、ビス頭部２５まで至っている。第二ネジ部２３の外周部には、第一ネジ部２１よりもリード角の小さなネジが形成されている。第二ネジ部２３の外径ＤＲ２は、第一ネジ部２１の外径ＤＲ１よりも小さく設定され、軸部２２の外径は、第二ネジ部２３の外径ＤＲ２よりも小さく設定され、軸部２２によって、第一ネジ部２１と第二ネジ部２３との間に段差が形成されている。
【００２２】
本実施形態では、第一ネジ部２１の長さＬａ１、軸部２２の長さＬａ２、第二ネジ部２３の長さＬａ３は、Ｌａ２＜Ｌａ１＜Ｌａ３となるように設定されている。
【００２３】
〔鞘管部材について〕
図３に示すように、鞘管部材３に、捻じ込み側の先端部に形成され、内周部にネジが形成された内ネジ部３１と、内ネジ部３１に対して、ビス部材２のビス頭部２５に対応する側に隣接する筒部３２と、捻じ込み側の先端部とは反対側の端部に形成された筒頭部３３と、が備えられている。筒部３２が、本発明における「鞘管部材における内ネジ部が形成された部分よりもビス頭部の側の部分」に相当する。
【００２４】
内ネジ部３１は、鞘管部材３の縁部から形成し始められている。内ネジ部３１に形成されたネジは、第二ネジ部２３のネジと螺合するように構成されている。筒部３２は、鞘管部材３の大半の部分を占めており、筒頭部３３まで至っている。筒部３２の内周部に、ネジは形成されていない。筒部３２の内径ＰＲ３は、内ネジ部３１の内径ＰＲ２よりも大きく設定されている。筒頭部３３は、ビス頭部２５の形状に沿ったラッパ状の形状であり、ビス頭部２５が筒頭部３３に当接するまでビス部材２を鞘管部材３に挿入すると、ビス部材２をそれ以上は鞘管部材３に挿入することはできない。
【００２５】
本実施形態では、内ネジ部３１の長さＬｂ１、筒部３２の長さＬｂ２は、Ｌｂ１＜Ｌｂ２となるように設定されている。また、内ネジ部３１の長さＬＢ１は、軸部２２の長さＬａ２以下となるように設定されている。本実施形態では、内ネジ部３１の長さＬＢ１は、軸部２２の長さＬａ２と同じか、少しだけ短くなるように設定されている。
【００２６】
筒部３２の外周部には、周方向に間隔を空けた状態で軸芯方向に沿って延びるように、複数のスリット３４が形成されている。本実施形態において、スリット３４は、周方向に９０度毎に、４本形成されている。スリット３４は、内ネジ部３１に近い位置から、筒部３２の大半に亘っているが、筒頭部３３の近くまでは延びていない。スリット３４の両端部と中間部とには、スリット３４幅よりも大きな径の丸穴が形成されている。スリット３４を形成することで、鞘管部材３のうちスリット３４が形成された部分３２ａの座屈耐力が減少されている。スリット３４は、周方向における剪断よりも軸芯方向における座屈を促進するものであり、本発明の「座屈促進部」に相当する。
【００２７】
図示はしないが、筒部３２の外周部には、部分的に径方向外側へ突出する係止部が形成されている。金属製の防水下地Ｂに、第一ビス部によって穿孔すると、貫通孔Ａの縁部がギザギザの凹凸を有する形状となりがちであり、係止部は貫通孔Ａに係止可能である。
【００２８】
〔ビスユニットの初期状態について〕
図１及び図４等に示すように、ビス部材２に鞘管部材３をセットした状態（初期状態）において、ビス部材２のうち、第一ネジ部２１と、ビス頭部２５及び第二ネジ部２３におけるビス頭部２５の側の部分と、が、鞘管部材３の軸芯方向両縁部（内ネジ部３１の縁部、筒頭部３３）から突出している。このように、鞘管部材３の長さＬＢ（図３参照）は、ビス部材２の長さＬＡ（図２参照）よりも短く設定されている。初期状態において、ビス頭部２５は筒頭部３３を離間しており、初期状態におけるビス頭部２５と筒頭部３３との軸芯方向における離間距離をｈとする（図４参照）。
【００２９】
また、初期状態において、第二ネジ部２３は筒部３２の内周に収容され、内ネジ部３１は軸部２２によって形成される段差に位置しており、第二ネジ部２３と内ネジ部３１とは螺合していない。即ち、鞘管部材３のビス部材２に対する相対回転が阻止された状態にて、第二ネジ部２３の端部（図４では下端部）のネジ端が、内ネジ部３１の端部（図４では上端部）のネジ端に係止して初めて、第二ネジ部２３と内ネジ部３１とは螺合し始める。
【００３０】
上述した構成がゆえに、ビス部材２は、鞘管部材３に対して、軸芯方向に沿って挿入することはできない。したがって、例えば、鞘管部材３を板状体で構成し、ビス部材２に巻き付けて、巻き付け端部同士を接合するような構成を採用している。その際に、スリット３４の延長線上の部分に境界部を設けると、接合長を短くすることが可能になる。鞘管部材３をビス部材２に外装する製法については、各種の製法が考えられる。
【００３１】
〔ビスユニットに使用態様について〕
始めに、防水シートＳを設置する屋根構造や、防水シートＳを防水下地Ｂに固定するための固定具Ｄ等について説明する。
【００３２】
図４から図７に示すように、防水下地Ｂには断熱材Ｃが敷設されている。そして、断熱材Ｃの上に、円盤状かつ金属製の固定具Ｄが配置される。固定具Ｄの上面には、塩ビ被覆やホットメルト層等の接着層が設けられている。固定具Ｄの中心部に開口が形成されており、その開口に筒状の樹脂製ワッシャＴＷが挿入係合されている。ワッシャＴＷは、人力によって断熱材Ｃに差し込まれても構わないし、予め断熱材Ｃの所望の位置に穿孔された孔に挿入されても構わない。ビスユニット１は、ワッシャＴＷの内部に挿入され、先端部が防水下地Ｂに締結される。この結果、固定具Ｄが防水下地Ｂに固定され、断熱材Ｃも、固定具Ｄによって押さえ付けられて防水下地Ｂに固定される。そして、図７に示すように、固定具Ｄ及び断熱材Ｃの上に、防水シートＳが敷設される。その後、防水シートＳにおける固定具Ｄの真上に位置する部分に対して上側から誘導加熱装置が押し当てられ、誘導加熱装置によって固定具Ｄが誘導加熱され、固定具Ｄの接着層と防水シートＳの裏面とが融着される。
【００３３】
ワッシャＴＷが樹脂製であるため、固定具Ｄとの係合部における摩擦係数が小さくなり、フラッタリングによって防水シートＳが波打ったりしても、ワッシャＴＷが固定具Ｄと供回りしにくくなって、その結果、ワッシャＴＷを留めるビスユニット１の固定具Ｄとの供回りも防止できる。
【００３４】
続いて、図４から図７を用いて、ビスユニット１によって、ワッシャＴＷがセットされた固定具Ｄを、防水下地Ｂに固定する作業の流れを説明する。
【００３５】
図４に示すように、ワッシャＴＷにビスユニット１を挿入し、工具によってビス部材２を下方に押し付けながら回転させると、ドリル部２４が防水下地Ｂを削り始め、孔が開き、第一ネジ部２１のネジによってその孔が広げられ、結果的に、防水下地Ｂに貫通孔Ａが穿孔される。この段階において、ビス部材２と鞘管部材３とは供回りしていない。
【００３６】
貫通孔Ａが開くと、貫通孔Ａは鞘管部材３よりも大径であるため、図５に示すように、工具による押し込み力によってビスユニット１（ビス部材２と鞘管部材３との両方）は、筒頭部３３がワッシャＴＷの先端部の絞り部分に当接する位置（レベルＨ１）まで、一気に、防水下地Ｂの裏側（室内側）へ落ち込む。このとき、鞘管部材３の先端側部分のうち、筒部３２におけるスリット３４が形成された部分３２ａの一部が、防水下地Ｂの裏側へ落ち込み、鞘管部材３の外周部に備えられた係止部が貫通孔Ａに係止し、鞘管部材３の回り止めがされる。
【００３７】
そして、工具によってビス部材２をさらに回転させると、鞘管部材３が回り止めされているため、図６に示すように、第二ビス部が内ビス部に螺合し始め、ビス頭部２５が筒頭部３３に当接する位置（レベルＨ２）まで、ビス部材２は螺進する。鞘管部材３の高さ位置は維持されたままである。なお、ビス部材２が螺進した距離（Ｈ２−Ｈ１）は、初期状態（図４の状態）におけるビス頭部２５と筒頭部３３との距離ｈと等しい。また、本実施形態では、図６の状態において、第二ネジ部２３の下端部と内ネジ部３１の下端部とが同位置となっており、軸部２２は鞘管部材３から完全に下方に露出している。即ち、軸部２２の長さＬａ２と内ネジ部３１の長さＬＢ１は、距離ｈと等しい。
【００３８】
さらに、この状態から、工具によってビス部材２をさらに回転させると、ビス頭部２５が筒頭部３３と接触してビス部材２が螺進できず、かつ、鞘管部材３が回転しないように保持されているため、内ネジ部３１と第二ネジ部２３との螺合力（内ネジ部３１がビス頭部２５側へ螺進しようする力）が軸力に変換される。そして、スリット３４の働きにより、図７に示すように、鞘管部材３のうちスリット３４が形成された部分３２ａにおいて、防水下地Ｂの裏側に抜け出している部分が座屈して径方向外側へ圧し潰され、貫通孔Ａよりも大径になり、防水下地Ｂに係止する。この結果、ビス頭部２５と鞘管部材３の圧し潰された部分とで、固定具Ｄと防水下地Ｂとを強く挟持することになり、かつ、鞘管部材３が貫通孔Ａから抜け出すことがなくなる。
【００３９】
〔別実施形態〕
以下、上記実施形態に変更を加えた別実施形態を例示する。以下の別実施形態は、矛盾が生じない限り、複数組み合わせて上記実施形態に適用してよい。なお、本発明の範囲は、各実施形態の内容に限定されるものではない。
【００４０】
（１）上記実施形態では、固定具Ｄとビスユニット１との間に、ワッシャＴＷを介装した例を示したが、これに限られるものではない。例えば、図８に示すように、ワッシャＴＷを介さずに、ビスユニット１によって直接固定具Ｄを防水下地Ｂに固定するような構成であっても良い。
【００４１】
（２）上記実施形態では、軸部２２と内ネジ部３１とがほぼ同じ長さである例を示したが、これに限られるものではない。例えば、内ネジ部３１が軸部２２よりもかなり短く構成されていても良い。
【００４２】
（３）上記実施形態では、ビスユニット１の初期状態において、ビス部材２に軸部２２を備えて、軸部２２が内ネジ部３１によって包み込まれるように構成された例を示したが、これに限られるものではない。例えば、ビス部材２に、軸部２２を備えず、初期状態において、内ネジ部３１が第二ネジ部２３に螺合しているように構成しても良い。
【００４３】
（４）上記実施形態では、内ネジ部３１が鞘管部材３の先端部（下部側の縁部）に至っている例を示したが、これに限られるものではない。例えば、内ネジ部３１よりも先端部側に、ネジが形成されていない部分が備えられていても良い。
【００４４】
（５）上記実施形態では、ビス部材２において、第二ネジ部２３が、ビス頭部２５まで延ばされている例を示したが、第二ネジ部２３は、全てを使用するものではないので、もっと短いものとし、第二ネジ部２３とビス頭部２５との間にネジのない部分が形成されていても良い。
【００４５】
（６）上記実施形態では、座屈促進部として、筒部３２の外周部に設けられたスリット３４を例示したが、これに限られるものではない。筒部３２において部分的に肉厚を変更することなどでも、周方向における剪断よりも軸芯方向における座屈を促進することは可能である。
【産業上の利用可能性】
【００４６】
本発明は、屋上や屋根において、金属製の防水下地Ｂに防水シートＳを施工する場合だけでなく、壁において、金属製の防水下地Ｂに防水シートＳを施工する場合にも適用可能である。
【符号の説明】
【００４７】
１      ビスユニット
２      ビス部材
３      鞘管部材
２１    第一ネジ部
２２    軸部
２３    第二ネジ部
２５    ビス頭部
３１    内ネジ部
３２    筒部（鞘管部材における内ネジ部が形成された部分よりもビス頭部の側の部分）
３４    スリット（座屈促進部）
Ａ      貫通孔
Ｂ      防水下地
【図１】
2019207003.tif 000003
【図２】
2019207003.tif 000004
【図３】
2019207003.tif 000005
【図４】
2019207003.tif 000006
【図５】
2019207003.tif 000007
【図６】
2019207003.tif 000008
【図７】
2019207003.tif 000009
【図８】
2019207003.tif 000010